(57)【特許請求の範囲】
【請求項１】
長手方向に３本の並列する配線を備えた帯状のフレキシブル基板の片面を発光面として、当該発光面に複数の発光素子を所定の間隔で搭載するとともに、少なくとも前記発光面と対向する部分が透明な絶縁性を有するフレキシブルチューブの中に内挿された発光体であって、
前記複数の発光素子は、前記３本の並列する配線のうち特定の２本の配線の間のみに並列に接続されるとともに、その他の配線は、他の配線とは導通しない独立した配線であり、
前記フレキシブルチューブの横断面形状は略台形状で、その上底部の横幅を前記フレキシブル基板の横幅より小さく、かつ下底部の横幅を前記フレキシブル基板の横幅より大きく構成し、
前記フレキシブル基板は、前記発光面が、前記フレキシブルチューブの横断面形状における上底部と対向し、かつ接触しない程度に離間した状態で収納されていることを特徴とする帯状のフレキシブル発光体。
【請求項２】
長手方向に４本の並列する配線を備えた帯状のフレキシブル基板の片面を発光面として、当該発光面に複数の発光素子を所定の間隔で搭載するとともに、少なくとも前記発光面と対向する部分が透明な絶縁性を有するフレキシブルチューブの中に内挿された発光体であって、
前記複数の発光素子は、前記４本の並列する配線のうち特定の２本の配線の間のみに並列に接続されるとともに、その他の配線は、他の配線とは導通しない独立した配線であり、
前記フレキシブルチューブの横断面形状は略台形状で、その上底部の横幅を前記フレキシブル基板の横幅より小さく、かつ下底部の横幅を前記フレキシブル基板の横幅より大きく構成し、
前記フレキシブル基板は、前記発光面が、前記フレキシブルチューブの横断面形状における上底部と対向し、かつ接触しない程度に離間した状態で収納されていることを特徴とする帯状のフレキシブル発光体。
【請求項３】
前記フレキシブル基板は、複数のフレキシブル基板を直列に連結したものから構成されるとともに、１本の連続したフレキシブルチューブの中に内挿されていることを特徴とする請求項１又は２のいずれか１項に記載の帯状のフレキシブル発光体。
【請求項４】
前記フレキシブルチューブは、両端が密閉されて気密性を備えていることを特徴とする請求項１乃至３のいずれか１項に記載の帯状のフレキシブル発光体。
【請求項５】
前記フレキシブル基板の少なくとも一端部には、当該フレキシブル基板に備えた並列する配線に各々導通する複数の導線が接続されており、当該導線は前記フレキシブルチューブの端部から外部に露出していることを特徴とする請求項１乃至４のいずれか１項に記載の帯状のフレキシブル発光体。
【請求項６】
前記フレキシブルチューブにおける前記導線が外部に露出している端部は、前記導線が挿通する挿通孔を有するキャップ部材によって密閉されていることを特徴とする請求項５に記載の帯状のフレキシブル発光体。
【発明の詳細な説明】
【技術分野】
【０００１】
本発明は、主として住宅や病院、工場その他建物の照明に使用するのに適した、発光ダイオード（ＬＥＤ）の発光素子を備えた帯状のフレキシブル発光体に関するものである。
【背景技術】
【０００２】
従来より、建物内の照明には白熱電球や蛍光灯が広く用いられてきたが、昨今では、エネルギー事情の悪化により、省エネ効率に優れたＬＥＤを採用する動きが盛んである。
【０００３】
ところでＬＥＤは、非常にコンパクトな発光素子であるため、本来的には設計上の自由度がきわめて高いという特性を有しているのであるが、実際に建物の照明に採用されているＬＥＤは、単に蛍光灯や白熱電球といった従来型の照明装置の光源をＬＥＤに置き換えたに過ぎないものが多く、上記のようなＬＥＤの特性を活かした新たな照明スタイルを提案しようとするものは少ない。
【０００４】
例えば特許文献１には、２本の並列な配線の間に発光素子を並列に接続して形成した帯状の発光体を、透明ビニールからなる合成樹脂で被覆加工したものが記載されており、また特許文献２には、同様の発光体を透明で断面が円形のロープチューブの中に配設したものが記載されているが、こうした長尺状の発光体は、フレキシブルで配設の自由度も高く、既に広告宣伝を目的とするイルミネーション用の照明装置として広く普及しており、こうした長尺状の発光体を、階段や廊下の誘導灯など建物における実用的な照明装置として使用することも可能なはずである。
【０００５】
そしてその用途も一般住宅ばかりではなく、病院や老人ホーム等では深夜に人が歩行する機会も多いため、夜間に消灯されてしまう薄暗い階段や廊下の手摺に沿って帯状の発光体を配設すれば効果的である。
【０００６】
また工場やビルなどの施設においても、火災や事故等が発生した場合に避難口へ誘導する誘導灯などとして活用することもできる。
【先行技術文献】
【特許文献】
【０００７】
【特許文献１】特開２００１−３０６００２号公報
【特許文献２】特開２０１１−２３５１１０号公報
【発明の概要】
【発明が解決しようとする課題】
【０００８】
そこで前記特許文献に記載のような長尺状の発光体を、実用に耐えうる建物の照明装置として使用しようとした場合、操作性と静電気対策という２つの課題が生じる。
【０００９】
先ず操作性の課題については、建物用の照明装置の場合はその操作方法に特別の配慮が必要であることが問題となる。
【００１０】
すなわち前記特許文献１に記載のような発光体は、基板上の２つの配線の間に複数の発光素子を並列に搭載した構造となっており、通常は図１のようにフレキシブル基板１の一端部より１２Ｖ或いは２４Ｖの直流電流を入力して全体を発光させる。そしてそのために、一般的には１００Ｖの交流電源２にＡＣアダプタ３を接続して１２Ｖ或いは２４Ｖの直流電圧を発生させて給電する仕組みが採用されている。
【００１１】
したがって、相当な長さにわたり発光体を連続して敷設した場合であっても、点々・消灯の操作は、電源が接続される一端部に設けられたスイッチＳＷを操作して給電を制御し、２本の配線全体にわたって通電がオン・オフされる仕組みであるため、発光体全体を点灯・消灯させることしかできず、電源が接続された端部とは逆の先端部から制御することも不可能である。
【００１２】
また人感センサーや光センサーによって、自動的に点灯・消灯の制御をしようとする場合であっても、やはり電源が接続される端部にしかセンサーを取り付けることしかできず、所望の制御をすることは到底不可能である。
【００１３】
こうした従来技術における操作性の制約は、単なるイルミネーションの用途であれば問題がないのであるが、建物で使用しようとした場合には、必ずしも電源がある位置と、スイッチ等が必要な位置とが一致するとは限らず、少なくとも電源が接続された端部とは逆の端部からも、点灯・消灯の制御ができるようにしておく必要性がある。
【００１４】
また、例えば階段の手摺に取り付けて使用する場合を想定してみても、階段の上と下にスイッチ等を設け、発光体の両端から独立してオン・オフ制御ができるようにしておく必要もある。
【００１５】
さらに高層建築における階段室など、複数階の手摺に連続して発光体を敷設する場合には、両端部から全体のオン・オフ制御ができるばかりでなく、連続する発光体の所望の部分だけを発光できるようにしておくことが望ましい。
【００１６】
以上のように、建物特有の様々な使用状態を想定してみると、前記特許文献１の発光体では、実用に耐えうる操作性が実現できず、建物用の照明としては不向きであるといえる。
【００１７】
次に静電気対策の課題については、本来的にＬＥＤという発光素子は、蛍光灯や電球と異なり、静電気によって破壊されやすいという弱点を有しているのであるが、建物には様々な電気機械器具が設置されているうえに、多くの配線も張り巡らされているため、静電気が発生する箇所が極めて多く、十分な静電気対策が施されていないと、静電気によってＬＥＤ発光素子が破壊されてしまう可能性が非常に高い。
【００１８】
この点に関し、特許文献１に記載の発光体は、発光体が透明ビニールからなる合成樹脂で被覆加工されているものの、被覆する合成樹脂と発光素子とが密着しているので、依然として合成樹脂を通じて静電気が発光素子に到達して破壊されてしまう可能性が高いものと思われる。また特許文献２のように断面が円形のロープチューブ内に発光体が配設されたものであっても、発光素子がロープチューブと接触してしまえば、やはり静電気が発光素子に到達して破壊されてしまう。
【００１９】
本発明は、かかる点に鑑みなされたものであり、その目的は、電源の接続位置に制約されずにスイッチ等を取り付けることが可能で、両端からオン・オフの制御が可能なばかりでなく、所望の位置から必要な部分の点灯・消灯ができるなど、自由度の高い配線が可能であるとともに、十分な静電気対策が施され、建物の照明として使用するのに適した発光体を提供することにある。
【課題を解決するための手段】
【００２０】
そして、本発明は上記目的を達成するために、本発明の請求項１の発光体では、長手方向に３本の並列する配線を備えた帯状のフレキシブル基板の片面を発光面として、当該発光面に複数の発光素子を所定の間隔で搭載するとともに、少なくとも前記発光面と対向する部分が透明な絶縁性を有するフレキシブルチューブの中に内挿された発光体であって、
前記複数の発光素子は、前記３本の並列する配線のうち特定の２本の配線の間のみに並列に接続されるとともに、その他の配線は、他の配線とは導通しない独立した配線であり、
前記フレキシブルチューブの横断面形状は略台形状で、その上底部の横幅を前記フレキシブル基板の横幅より小さく、かつ下底部の横幅を前記フレキシブル基板の横幅より大きく構成し、前記フレキシブル基板は、前記発光面が、前記フレキシブルチューブの横断面形状における上底部と対向し、かつ接触しない程度に離間した状態で収納されていることを特徴としている。
【００２１】
この発明によれば、発光素子が接続された特定の配線のほかに、他の配線とは導通しない独立した配線を備えているので、後述の実施例のように、手動のスイッチや各種センサー等を適宜の位置に配線することができる。またフレキシブルチューブの横断面形状が略台形状であるとともに、その上底部の横幅をフレキシブル基板の横幅より小さく、かつ下底部の横幅をフレキシブル基板の横幅より大きく構成しているため、フレキシブル基板は、常にフレキシブルチューブの下底部の上に安定した状態で収納されるとともに、製品使用上の定常状態では、発光面と上底部が接触しない状態が維持されるため、外部の静電気が発光素子にダメージを与えることを防止することができる。
【００２２】
また請求項２の発光体では、長手方向に４本の並列する配線を備えた帯状のフレキシブル基板の片面を発光面として、当該発光面に複数の発光素子を所定の間隔で搭載するとともに、少なくとも前記発光面と対向する部分が透明な絶縁性を有するフレキシブルチューブの中に内挿された発光体であって、前記複数の発光素子は、前記４本の並列する配線のうち特定の２本の配線の間のみに並列に接続されるとともに、その他の配線は、他の配線とは導通しない独立した配線であり、前記フレキシブルチューブの横断面形状は略台形状で、その上底部の横幅を前記フレキシブル基板の横幅より小さく、かつ下底部の横幅を前記フレキシブル基板の横幅より大きく構成し、前記フレキシブル基板は、前記発光面が、前記フレキシブルチューブの横断面形状における上底部と対向し、かつ接触しない程度に離間した状態で収納されていることを特徴としている。
【００２３】
この発明によれば、２本の独立した配線を備えているので、請求項１に記載の発光体よりも、更に複雑で操作性の高い配線をすることができるようになる。
【００２４】
また請求項３の発光体では、前記フレキシブル基板は、複数のフレキシブル基板を直列に連結したものから構成されるとともに、１本の連続したフレキシブルチューブの中に内挿されていることを特徴としている。
【００２５】
この発明によれば、フレキシブル基板を製造するうえで、その長さに制約のある場合、フレキシブル基板を複数連結し、一本の連続したフレキシブルチューブの中に内挿することにより、所望の長さの発光体を製造することができる。
【００２６】
また請求項４の発光体では、前記フレキシブルチューブは、両端が密閉されて気密性を備えていることを特徴としている。
【００２７】
この発明によれば、フレキシブルチューブの中に水分や異物が侵入することを阻止することができるため、発光体の破壊を更に確実に防止することができる。
【００２８】
また請求項５の発光体では、前記フレキシブル基板の少なくとも一端部には、当該フレキシブル基板に備えた並列する配線に各々導通する複数の導線が接続されており、当該導線は前記フレキシブルチューブの端部から外部に露出していることを特徴としている。
【００２９】
この発明によれば、あらかじめ導線が外部に露出している構造であるため、手動のスイッチやセンサー等を容易に接続することができる。
【００３０】
また請求項６の発光体では、前記フレキシブルチューブにおける前記導線が外部に露出している端部は、前記導線が挿通する挿通孔を有するキャップ部材によって密閉されていることを特徴としている。
【００３１】
この発明によれば、導線が挿通する部分をキャップ部材によって確実に封止することができ、端部を容易に密封することができる。
【発明の効果】
【００３２】
以上のように本発明の発光体を用いれば、電源が接続された端部ばかりでなく、逆の先端部など所望の位置にスイッチやセンサー等を取り付けることができるため、発光体の先端部からのオン・オフ操作や、所望の位置でセンサー等によってオン・オフ制御させるなど、きわめて自由度の高い配線が可能であり、建物の照明に要求される高度な操作性に応えた照明装置を実現することができる。また十分な静電気対策が施され、外部の静電気が発光素子に到達しにくい構造であるため、静電気によって発光素子が破壊されにくく、静電気が多発する建物の照明への使用に十分耐えることができるという効果を発揮するものである。
【発明を実施するための最良の形態】
【００３３】
以下、本発明の実施の形態について説明する。
【００３４】
はじめに図２は、基板上に並列する３本の配線を備えた請求項１に対応するフレキシブル基板の上面図である。なお図２では、特にその一端部の構造を示しているが、他端部もまた同様の構造である。
【００３５】
フレキシブル基板１は、幅が１センチメートル程度のフィルム状のフレキシブルな素材で形成され、縦長の帯状の形状をなしている。そしてその長手方向には平行で直線状に並列する３本の連続した配線Ａ・Ｂ・Ｃを備えている。
【００３６】
またフレキシブル基板１の片面には、所定の間隔を置いて複数のＬＥＤ発光素子４が抵抗５を介し特定の２本の配線ＡとＢの間に並列に接続されており、その他の配線Ｃは、ＬＥＤ発光素子４が接続された他の配線Ａ・Ｂとは導通しない独立した配線となっている。
【００３７】
したがって配線ＡとＢの間に直流１２Vの電圧がかかると、ＬＥＤ発光素子４が搭載された面のみが発光面として発光する。
【００３８】
またフレキシブル基板１上の各配線の両端部には、各々の配線に独立して対応するランド部６が設けられており、必要に応じて導線等を接続することができるほか、複数のフレキシブル基板のランド部６どうしを相互にはんだ付けして連接すれば、全体として１本の、所望の長さのフレキシブル基板を作成することもできる。
【００３９】
図３は、特にフレキシブル基板１上に、平行で直線状に並列する４本の連続した配線Ａ・Ｂ・Ｃ・Ｄを備えた請求項２に対応するものである。
【００４０】
この場合も図２に記載のものと同様に、フレキシブル基板１の片面には、所定の間隔を置いて複数のＬＥＤ発光素子４が抵抗５を介し特定の２本の配線ＡとＢの間に並列に接続されており、その他の配線のうち配線Ｃについては、他の配線Ａ・Ｂ・Ｄと、また配線Ｄについては、他の配線Ａ・Ｂ・Ｃと、は導通しない独立した配線構造となっている。
【００４１】
そして同様に、配線ＡとＢの間に直流１２Vの電圧がかかると、ＬＥＤ発光素子４が搭載された面のみが発光面として発光し、またフレキシブル基板１の端部には、Ａ・Ｂ・Ｃ・Ｄの各配線に各々独立して対応するランド部６が設けられている。
【００４２】
図４は、本発明の発光体の外観図であるが、フレキシブル基板１がフレキシブルチューブ７に内挿されるとともに、当該フレキシブルチューブ７の両端が密閉された状態を示している。
【００４３】
フレキシブルチューブ７の端部を密閉する際には、接着剤をフレキシブルチューブ７の端部の近傍の内壁に塗布し、フレキシブルチューブ７の端部を上下に潰して密着させたり、熱などで再溶着をしてもよいが、図４に記載のものでは、フレキシブル基板１の端部に設けられたランド部６に導線８を取り付けて、この導線８をフレキシブルチューブ７の外に露出させているため、当該導線８が挿通する挿通孔を有する樹脂製のキャップ部材９に接着剤を塗布し、当該キャップ部材９がフレキシブルチューブ７の端部を覆うように取り付けて密閉している。
【００４４】
そして図５は、フレキシブル基板１が内挿された状態のフレキシブルチューブ７の横断面図であるが、フレキシブルチューブ７の横断面形状は、平行な上底部１０と下底部１１を有する略台形状をなしている。また脚部１２の形状については必ずしも直線状である必要はなく、ある程度湾曲させたものであっても構わない。
【００４５】
そして下底部１１の上には、フレキシブル基板１が、その発光面を上向きにして載置されるのであるが、前記フレキシブルチューブ７の横断面形状において、上底部１０の横幅Ｗ２はフレキシブル基板１の横幅Ｗ１より小さく、かつ下底部１１の横幅Ｗ３は、フレキシブル基板１の横幅Ｗ１より大きく構成しているので、フレキシブル基板１をフレキシブルチューブ７に内挿した場合、フレキシブル基板１が上方に持ち上がろうとしても、脚部１２に阻止されて上底部１０側に移動することができず、常に下底部１１の上に留まり、結果として発光面と上底部１０との間隔Ｈが維持されることとなる。したがって、製品使用上の定常状態では、フレキシブル基板１の発光面とフレキシブルチューブ７の上底部１０が接触しない程度に離間することとなるので、静電気がＬＥＤ発光素子４に伝わりにくく、ＬＥＤ発光素子４を確実に静電気から保護することができる。
【００４６】
またフレキシブルチューブ７の素材には、絶縁性が高く、耐キンク性の高いものが好ましく、特にエラストマーの中でも、ＴＰＯ（サーモポリオレフィン、又はサーモプラスチックポリオレフィン）や、TPE（サーモポリエチレン）やTPU（サーモポリウレタン）などが好ましいが、スチレンブタジエンゴム（SBR）、ブタジエンゴム（BR）天然ゴム（NR）、ニトリルゴム（NBR）、水素化ニトリルゴム（HNBR）、フッ素ゴム（FKM，FFKM）、アクリルゴム（ACM）、シリコーンゴム（VMQ，FVMQ）ウレタンゴム（AU，EU）エチレンプロピレンゴム（EPM，EPDM）、クロロプレンゴム（CR）、クロロスルホン化ポリエチレン（CSM）、エピクロルヒドリンゴム（CO，ECO）イソプレンゴム（IR）多硫化ゴム（T）、ノルボルネンゴム（NOR）も除外されない。
【００４７】
ここで耐キンク性というのは、チューブ状の素材を曲げたときにチューブ内の空間が潰れずチューブ内の空間を保つ性質のことをいうのであるが、上記のような耐キンク性が高い材料を用いれば、フレキシブルチューブ７が折り曲げられても、フレキシブル基板１の発光面とフレキシブルチューブ７の上底部１０が接触しない程度に離間している状態をより一層確実に保つことができる。
【００４８】
また、フレキシブルチューブ７は、少なくともフレキシブル基板１の発光面と対向する上底部１０については透明にしておく必要があるが、全体を透明にしてもかまわない。
【００４９】
また、本発明の発光体の取り付け方としては、フレキシブルチューブの下底部１１の外面に両面テープを貼付すれば、所望の場所に容易に取り付けることができる。
【００５０】
ところで本発明の発光体は、ＬＥＤ発光素子４が取り付けられた配線Ａ及びＢ以外に独立した別の配線Ｃ又はＣ・Ｄを有しているため、様々なスイッチやセンサー等を接続することができ、その配線構造によって様々な機能を発揮させることができる点に大きな特徴がある。そこでこうした種々の配線構造の態様について説明する。
【００５１】
発光体は、建物内の長い廊下や高層建築の階段室等に敷設する場合には、数十メートル、場合によっては１００メートル以上の距離にわたって敷設される場合も想定されるが、いずれの場合も、電源は発光体の一端部側に接続される。
【００５２】
図６は、並列する配線をＡ・Ｂ・Ｃの３本とした本発明の請求項１の発光体に係る実施例を示す配線図であるが、電源が接続される端部（左端部）とは反対側の先端部（右端部）には手動のスイッチＳＷが取り付けられていることに特徴がある。
【００５３】
この場合直流電源の陰極は、ＬＥＤ発光素子が接続された特定の並列配線のうちの一方である配線Ｂの端部に接続され、陽極はそれ以外の配線Ｃの端部に接続されている。そして発光体の先端部において配線Ｃと配線Ａを結ぶ手動スイッチＳＷが設けられており、電源の位置とは関係なく、このスイッチＳＷにより発光体の点灯・消灯の操作をすることができるので、電源の位置とスイッチのあるべき位置が離れている場合に用いると効果的である。
【００５４】
また、この実施例では２本のフレキシブル基板１のランド部６を相互に接続して１本の発光体として構成しているが、更に長さが必要な場合には、所望の数だけ連接して延長すればよい。
【００５５】
図７も、並列する配線をＡ・Ｂ・Ｃの３本とした本発明の請求項１の発光体に係る実施例であるが、３本のフレキシブル基板を連接して構成した１本の発光体の先端部に光センサーを備えた光センサー基板２０を接続し、光センサー近傍が暗くなった場合に全体を点灯させるようにした実施例である。したがって、この場合も電源の位置と光センサーのあるべき位置が離れている場合に用いると効果的である。
【００５６】
なおこの場合も直流電源は、図２記載のものと同じ端部に取り付けられているが、先端部の光センサー基盤２０には、常時待機電流が供給される配線構造となっている。
【００５７】
そして光センサー基盤２０には、照度に応じて電流が変化するフォトトランジスタ（Ｑ１）と、フォトトランジスタに流れる電流を抵抗により変換した後の電圧の変化を比較して出力を変化させるコンパレータ（ＩＣ１）と、コンパレータからの出力で動作するように接続されたスイッチ用のデジタルトランジスタ（Ｑ２）が搭載されており、センサー周辺が暗くなるとフォトトランジスタ（Ｑ１）により電圧が変化し、この電圧の変化をコンパレータ（ＩＣ１）が検出し、デジタルトランジスタ（Ｑ２）をＯＮにして発光体を発光させる仕組みとなっている。
【００５８】
図８は、並列する配線をＡ・Ｂ・Ｃ・Ｄの４本とした本発明の請求項２の発光体に係る実施例であり、その先端部には人感センサーを備えた人感センサー基板２１が取り付けられている。
【００５９】
この場合の人感センサー基盤２１には、人感センサー（ＩＣ１）とスイッチ用のデジタルトランジスタ（Ｑ１）が搭載されており、人感センサー（ＩＣ１）が人の動きを検知すると、スイッチ用のデジタルトランジスタ（Ｑ１）をＯＮにして発光体を発光させる仕組みとなっている。
【００６０】
なお、図８において人感センサー基盤２１より更に先端側の点線で示す部分には、発光体と人感センサー基盤２１の組み合わせをひとつのユニット２３として、このユニット２３を繰り返し連接することもできる。したがって、例えば病院等の長い廊下に５メートルおきに人感センサーを備えた発光体を敷設すれば、人が歩く部分の発光体のみが点灯し、優れた照明効果を実現することができる。
【００６１】
なおこの配線構造の場合には、市販の人感センサーの作動電圧が５Ｖであるものが多いことから、この人感センサーに常時５Ｖの待機電流を供給するための電圧変換用のＩＣ２がその最先端部に取り付けられている。
【００６２】
図９も、並列する配線をＡ・Ｂ・Ｃ・Ｄの４本とした本発明の請求項２の発光体に係る実施例であり、光センサーを備えた２つの光センサー基盤２０を各々発光体の両端に接続したもので、その最先端部では配線ＡとＣが接続されている。
【００６３】
この場合、直流電源は、一方の光センサー基盤２０を介して発光体に接続されており、両端の光センサー（ＩＣ１）と（ＩＣ２）のうち何れかが暗くなったことを検知すると発光体が発光する仕組みとなっている。
【００６４】
図１０も、並列する配線をＡ・Ｂ・Ｃ・Ｄの４本とした本発明の請求項２の発光体に係る実施例であり、光センサーを備えた２つの光センサー基盤２０を発光体の両端に接続したものであるが、この場合は図９に記載のものとは異なり、両端の光センサー（ＩＣ１）と（ＩＣ２）の両方が暗くなったことを検知すると発光体が発光する仕組みとなっている。
【００６５】
したがって、発光体を窓の少ない通路などに設置する場合には、必要に応じて図９または図１０に記載のものを適宜選択すれば、所望の照明の制御をすることができる。
【００６６】
図１１は、二つの手動スイッチ（ＳＷ１・ＳＷ２）を各々発光体の両端に接続し、三叉スイッチ回路を実現たもので、例えば階段の上下や廊下の両端などに各々のスイッチを配置すれば、各々のスイッチで独立して発光体の点灯・消灯の操作をすることができる。
【００６７】
図１２は、手動のスイッチに代えてフォトリフレクタ（Ｑ１・Ｑ２）を備えた２つの基板を、各々発光体の両端に接続したものである。ちなみにフォトリフレクタとは、光の反射や遮光を検知する、発光と受光が一体となった素子であり光学スイッチとして使用出来る。この実施例では反射タイプのフォトリフレクタを使用し、フォトリフレクタ（Ｑ１・Ｑ２）の発光部に手をかざすことにより発せられるスイッチオンの信号は、ＯＲ回路（論理和）を経てシュミットインバータ（ＩＣ１・ＩＣ２）にて波形整形後、フリップフロップ回路（ＩＣ３）のトリガ信号となり、このトリガ信号が入力される度に、発光体のオン・オフが切り替わるもので、図１１に記載の三叉スイッチ回路と同等の操作性を電子的に実現している。
【００６８】
以上の実施例で検証したように、本発明の発光体を用いれば、配線の自由度が向上し、様々なスイッチやセンサー等を適宜の位置に取り付けることができるため、従来技術の発光体ではなしえなかった建物の使用に求められる格別の操作性を実現することができるのである。
【産業上の利用可能性】
【００６９】
以上のように本発明の発光体は、少なくとも発光体の電源が接続された端部とは逆の先端部からオン・オフ制御をするスイッチ等を取り付けることが可能であり、発光体の両端からもオン・オフの操作が可能で、更に所望の位置から必要な部分をオン・オフ制御することもでき、かつ十分な静電気対策が施され、外部の静電気が発光素子に到達しにくい構造であるため、建物の照明として使用することに適しているという効果を発揮し、住宅や病院、工場その他建物の照明に使用するのに最適である。
【図面の簡単な説明】
【００７０】
【図１】従来技術の発光体を示す概念図
【図２】本発明の実施形態を示す３本の並列配線を備えたフレキシブル基板の上面図
【図３】同４本の並列配線を備えたフレキシブル基板の上面図
【図４】本発明の発光体の外観図
【図５】本発明のフレキシブルチューブの横断面図
【図６】本発明の実施形態を示す配線図
【図７】本発明の更に別の実施形態を示す配線図
【図８】本発明の更に別の実施形態を示す配線図
【図９】本発明の更に別の実施形態を示す配線図
【図１０】本発明の更に別の実施形態を示す配線図
【図１１】本発明の更に別の実施形態を示す配線図
【図１２】本発明の更に別の実施形態を示す配線図
【符号の説明】
【００７１】
１  フレキシブル基板、２  直流電源、３  ＡＣアダプタ、４  ＬＥＤ発光素子、  ５  抵抗、６  ランド部、７  フレキシブルチューブ、８  導線、９  キャップ部材、１０  上底部、１１  下底部、１２  脚部、２０  光センサー基板、２１  人感センサー基板
【要約】
【課題】本発明は、建物の照明に用いるＬＥＤ発光素子を使用した発光体において、操作性の高い配線が可能で、かつ十分な静電気対策を施した発光体を提供することを目的としている。
【解決手段】そして、本発明は上記目的を達成するために、長手方向に３本又は４本の並列する配線を備えた帯状のフレキシブル基板を、絶縁性を有する略台形状の横断面形状のフレキシブルチューブの中に内挿し、その上底部の横幅を前記フレキシブル基板の横幅より小さく、かつ下底部の横幅を前記フレキシブル基板の横幅より大きく構成して、フレキシブル基板の発光面が、フレキシブルチューブに接触しない状態で収納されるようにしたものである。
【選択図】図５【図１】
0005484623.tif 000002
【図２】
0005484623.tif 000003
【図３】
0005484623.tif 000004
【図４】
0005484623.tif 000005
【図５】
0005484623.tif 000006
【図６】
0005484623.tif 000007
【図７】
0005484623.tif 000008
【図８】
0005484623.tif 000009
【図９】
0005484623.tif 000010
【図１０】
0005484623.tif 000011
【図１１】
0005484623.tif 000012
【図１２】
0005484623.tif 000013